(57)【要約】【課題】壁パネルの側面に外部衝撃が作用した場合に、破損を防止することができる壁パネルの固定具を提供する。【解決手段】床面Ｆに基板１７をアンカーボルト２１によって固定し、該基板１７の上面に脚部２３を溶接部２４によって連結し、脚部２３の上端面に弾性保持板２５を溶接部２６によって連結する。壁パネル１１の側面に横方向からの力が作用した場合に、その力が基板１７と脚部２３の溶接部２４及び脚部２３と弾性保持板２５の溶接部２６に直接作用することがない。このため溶接部２４及び溶接部２６が破断して、壁パネル１１の保持力が低下するのを防止することができる。【選択図】図２
2011157709.tif 000002
【特許請求の範囲】
【請求項１】
アンカーボルトの貫通孔を有する基板の上面に前記貫通孔から離れた位置に脚部を設け、該脚部の上端に、壁パネルの空洞部の両側内面に接触されて、該壁パネルの位置を規制する弾性変形可能な弾性保持部材を設けたことを特徴とする壁パネルの固定具。
【請求項２】
請求項１において、前記貫通孔は複数箇所に設けられていることを特徴とする壁パネルの固定具。
【請求項３】
請求項１又は２において、前記基板には該基板よりも肉厚の板材よりなる脚部が溶接部によって連結され、該脚部の上面には、弾性変形可能な板材を縦長Ｕ字状に形成された弾性保持部材の底板が溶接部によって連結されていることを特徴とする壁パネルの固定具。
【請求項４】
請求項１〜３のいずれか一項において、前記脚部と弾性保持部材は板材によって一体に形成されていることを特徴とする壁パネルの固定具。
【請求項５】
請求項２〜４のいずれか一項において、前記基板の両端部に前記貫通孔がそれぞれ形成され、基板の中央部に前記脚部が設けられていることを特徴とする壁パネルの固定具。
【請求項６】
請求項１〜５のいずれか一項に記載の壁パネルの固定具を用いて複数枚の壁パネルの下端部を床面に固定し、各壁パネルの上端部を上部躯体に固定したことを特徴とする間仕切り壁。
【発明の詳細な説明】
【技術分野】
【０００１】
本発明は、主として間仕切り用の壁パネルの下端部を床面の所定位置に保持するための壁パネルの固定具及びそれを用いた間仕切り壁に関するものである。
【背景技術】
【０００２】
部屋を区画するための間仕切り用の壁パネルとして、図８に示すような押出し成形セメント板と呼ばれる壁パネル１１が用いられている。この壁パネル１１の本体１２の内部には、空洞部１３が複数箇所に互いに平行に、かつ上下方向に指向するように貫通成形されている。前記本体１２の一側端面には係合溝１４が形成され、本体１２の他側端面には突条部１５が形成されている。
【０００３】
図８及び図９に示すように、前記壁パネル１１の係合溝１４に他の壁パネル１１の突条部１５を係合した状態で、各壁パネル１１の下端部は、固定具１６によって図１０に示す床面Ｆに固定される。前記固定具１６は、図８に示すように、基板１７と、該基板１７の上面に溶接部１８によって連結された縦長Ｕ字状の弾性保持板１９とを備えている。この弾性保持板１９は底板１９ａと、該底板１９ａの両側部に一体に上方向に折り曲げ形成された側板１９ｂと、該側板１９ｂの上端部に一体に屈曲形成された傾斜板部１９ｃとによって形成されている。
【０００４】
前記基板１７にはアンカーボルト２１を貫通するための貫通孔２０が形成されている。図１０に示すように床面Ｆにはアンカーナット２２が埋設され、該アンカーナット２２に前記アンカーボルト２１を螺合することにより固定具１６の基板１７が床面Ｆの所定位置に取り付けられる。床面Ｆに取り付けられた固定具１６の弾性保持板１９に前記壁パネル１１の空洞部１３を嵌合することにより、図８及び図９に示すように相隣接する壁パネル１１の下端部を床面Ｆの所定位置に保持する。
【０００５】
また、特許文献１には、前記従来構成とほぼ同様な構成の固定具が開示されている。床面上に壁パネルを固定するための固定具が開示されている。
【先行技術文献】
【特許文献】
【０００６】
【特許文献１】実開平５−３８１２３号公報（明細書の段落０００９〜００１０及び図５参照）
【発明の概要】
【発明が解決しようとする課題】
【０００７】
ところが、上記従来の壁パネル１１の固定具１６は、基板１７の上面に溶接部１８によって弾性保持板１９が連結されていたので、次のような問題があった。即ち、図１０（ｂ）に示すように、壁パネル１１の側面にＰ矢印方向に強い力が加わると、壁パネル１１の下端縁１２ａが弾性保持板１９の側板１９ｂの下端縁に押し付けられ、基板１７と弾性保持板１９の底板１９ａとの間の溶接部１８が損傷され、壁パネル１１を固定具１６によって所定位置に保持することができないことになる。
【０００８】
又、前記壁パネル１１の固定具１６は基板１７にアンカーボルト２１を貫通させる貫通孔２０が一箇所のみに形成されていたので、図９において、左側の壁パネル１１の側面にＰ矢印方向に力が加わると、固定具１６の基板１７が前記アンカーボルト２１を中心にＱ矢印方向に回動される。このように基板１７が回動されると、それに伴い、壁パネル１１も移動し、壁パネル１１を所定位置に安定して保持することができない。そして、壁パネル１１が移動すると、弾性保持板１９に対して曲げモーメントが作用し、このため、溶接部１８に対してさらに外力が作用して、その溶接部１８が損傷し易くなる。
【０００９】
また、特許文献１の構成も図８及び図９とほぼ同様な構成であるため、前述した問題点と同様な問題点を有する。
本発明は、上記従来の技術に存する問題点を解消して、壁パネルの側面に強い力が作用した場合に、破損を防止することができる壁パネルの固定具を提供することにある。
【００１０】
本発明の別の目的は、上記目的に加えて、壁パネルの側面に強い力が作用した場合に、基板が床面上で水平方向に回動されるのを防止することができる壁パネルの固定具及びそれを用いた間仕切り壁を提供することにある。
【課題を解決するための手段】
【００１１】
上記問題点を解決するために、請求項１に記載の発明は、アンカーボルトの貫通孔を有する基板の上面に前記貫通孔から離れた位置に脚部を設け、該脚部の上端に、壁パネルの空洞部の両側内面に接触されて、該壁パネルの位置を規制する弾性変形可能な弾性保持部材を設けたことを要旨とする。
【００１２】
請求項２に記載の発明は、請求項１において、前記貫通孔は複数箇所に設けられていることを要旨とする。
請求項３に記載の発明は、請求項１又は２において、前記基板には該基板よりも肉厚の板材よりなる脚部が溶接部によって連結され、該脚部の上面には、弾性変形可能な板材を縦長Ｕ字状に形成された弾性保持部材の底板が溶接部によって連結されていることを要旨とする。
【００１３】
請求項４に記載の発明は、請求項１〜３のいずれか一項において、前記脚部と弾性保持部材は板材によって一体に形成されていることを要旨とする。
請求項５に記載の発明は、請求項２〜４のいずれか一項において、前記基板の両端部に前記貫通孔がそれぞれ形成され、基板の中央部に前記脚部が設けられていることを要旨とする。
【００１４】
請求項６に記載の発明は、請求項１〜５のいずれか一項に記載の壁パネルの固定具を用いて複数枚の壁パネルの下端部を床面に固定し、各壁パネルの上端部を上部躯体に固定したことを要旨とする。
【００１５】
（作用）
本発明は、基板の上面に脚部を設け、該脚部の上部に弾性保持部材を設けたことにより、固定具の使用状態において、壁パネルに横方向からの力が作用した場合に、壁パネルの空洞部の内側面によって脚部より上方の弾性保持板の側面が押圧される。このため、基板と脚部の下端部との連結部に応力が集中して作用するのを抑制し、基板と脚部の連結部の破損が未然に防止される。
【００１６】
又、基板にアンカーボルトの貫通孔が複数箇所に設けられていると、壁パネルに横方向からの力が作用した場合に、弾性保持板及び脚部を介して基板が水平方向に回動されるのを防止し、壁パネルの移動を防止する。
【発明の効果】
【００１７】
本発明によれば、壁パネルに横方向からの力が作用した場合に、基板と脚部の連結部の破損を防止することができ、壁パネルを床面の所定位置に適正に保持することができる。
【図面の簡単な説明】
【００１８】
【図１】この発明の壁パネルの固定具の斜視図。
【図２】（ａ），（ｂ）は壁パネルの固定具の使用状態を示す部分縦断面図。
【図３】固定具の使用状態を示す平面図。
【図４】二枚の壁パネルの連結状態を示す斜視図。
【図５】この発明の別の実施形態を示す固定具の斜視図。
【図６】この発明の別の実施形態を示す固定具の側面図。
【図７】この発明の別の実施形態を示す固定具の側断面図。
【図８】壁パネル及び従来の固定具を示す分離状態の斜視図。
【図９】壁パネルの従来の固定具の使用状態を示す平面図。
【図１０】（ａ），（ｂ）は壁パネルの従来の固定具の使用状態を示す部分縦断面図。
【発明を実施するための形態】
【００１９】
以下、本発明を具体化した壁パネルの固定具及びそれを用いた間仕切り壁の一実施形態を図１〜図４に従って説明する。
図４に示すように、本実施形態で使用される壁パネル１１は、押出し成形セメント板であり、背景の技術で述べた壁パネル１１と同様に、本体１２に空洞部１３が形成されるとともに、係合溝１４及び突条部１５が形成されている。
【００２０】
図１に示すように、壁パネル１１の固定具１６を構成する金属材料よりなる平面視長四角形状の基板１７の一端部寄り上面には、脚部２３が溶接部２４によって連結されている。該脚部２３の上端面には弾性保持板１９と同様に形成された弾性保持部材としての弾性保持板２５が溶接部２６によって連結されている。前記弾性保持板２５は、帯状の板材を湾曲することにより形成されている。該弾性保持板２５は、前記脚部２３の上端面に前記溶接部２６によって連結された底板２５ａと、該底板２５ａの左右両側部に一体に上方向に湾曲形成された一対の側板２５ｂと、該側板２５ｂの上端部に互いに接近するようにそれぞれ屈曲形成された一対の傾斜板部２５ｃとによって構成されている。
【００２１】
基板１７には、二本のアンカーボルト２１を貫通するための貫通孔２０が二箇所に形成されている。
次に、前記のように構成された壁パネル１１の固定具１６を用いて、壁パネル１１の下端部を床面Ｆの所定位置に保持する方法について説明する。
【００２２】
最初に、固定具１６の基板１７の２つの貫通孔２０にアンカーボルト２１を貫通し、床面Ｆに埋設された２つのアンカーナット２２に前記アンカーボルト２１をそれぞれ螺合し、基板１７を床面Ｆの所定位置に締付固定する。なお、前記固定具１６は床面Ｆの複数箇所に設置されるが一箇所のみ図示する。
【００２３】
次に、固定具１６の弾性保持板２５に、壁パネル１１の突条部１５側に形成された１つの空洞部１３の下端部を図２（ａ）及び図３に示すように嵌合するとともに、前記２つのアンカーボルト２１の頭部２１ａを、隣接する他の壁パネル１１の係合溝１４側に形成された空洞部１３に位置させる。弾性保持板２５が空洞部１３に嵌入される際に、両側板２５ｂが互いに接近する方向に弾性変形され、その弾性復元力により壁パネル１１が床面Ｆ上の所定位置に保持される。
【００２４】
図３に示すように、壁パネル１１の係合溝１４には、隣接する他の壁パネル１１の突条部１５が嵌合され、該突条部１５の両側面と係合溝１４の両側面との間にゴムよりなるクッション材２７が介在されている。
【００２５】
前記壁パネル１１の上端部は、図示しないがスラブや梁等の上部躯体に取り付けられた例えばライナーの係合溝に収容されて位置規制されている。複数の固定具１６によって、複数枚の壁パネル１１の下端部が床面に固定されるとともに、各壁パネル１１の上端部が前記ライナーの係合溝に係合されることによって、上部躯体に保持されることにより居住室を区画する間仕切り壁が構築される。
【００２６】
さて、壁パネル１１に対して、図２（ｂ）に示すようにＰ矢印方向に強い力が作用すると、本体１２の空洞部１３の一方の内側面１３ａが弾性保持板２５の一方の側板２５ｂの外側面に押し付けられる。このため、脚部２３を介して基板１７は床面Ｆから浮き上がる方向への力が作用する。このとき、基板１７の上面は本体１２の下端面によって上方向に変位するのが規制される。又、前記側板２５ｂの弾性変形によって、外部衝撃が吸収される。さらに、基板１７と弾性保持板２５との間の溶接部は前記基板１７と脚部２３の溶接部２４及び脚部２３と弾性保持板２５の溶接部２６として二箇所に配置されている。このため、外部からの力が一箇所に集中して作用することがないので、溶接部２４，２６の損傷が防止される。
【００２７】
しかも、弾性保持板２５が脚部２３を介して基板１７から上方向に離隔したところに位置しているため、弾性保持板２５に作用するモーメントは小さく、このモーメントが弾性保持板２５の弾性変形によって吸収される。このため、前記と同様に溶接部２４，２６等の損傷を防止できる。
【００２８】
加えて、基板１７が二本のアンカーボルト２１によって固定されているため、基板１７が床面Ｆ上において回転されることはない。このため、壁パネル１１の移動を防止できるとともに、弾性保持板２５や脚部２３に対して曲げモーメントが作用することを防止でき、溶接部２４，２６等の損傷を防止できる。
７  上記実施形態の壁パネル１１の固定具１６によれば、以下のような効果を得ることができる。
【００２９】
（１）上記実施形態では、前記基板１７の上面に脚部２３を溶接部２４によって連結し、脚部２３の上端面に弾性保持板２５を溶接部２６によって連結した。このため図２（ｂ）に示すように壁パネル１１にＰ矢印で示す横方向からの力が作用した場合に、基板１７と弾性保持板２５との間の溶接部２４，２６に大きな応力集中が作用することはなく、それらの損傷を防止することができて、壁パネル１１を所定位置に適正に保持することができる。
【００３０】
（２）上記実施形態では、基板１７に２つの貫通孔２０を形成し、二本のアンカーボルト２１を貫通孔２０からアンカーナット２２に螺合するようにした。このため、図３に示すように壁パネル１１に横方向からの力が作用した場合に、壁パネル１１の固定具１６の基板１７が床面Ｆ上で水平方向に回動されるのを防止することができ、壁パネル１１を所定位置に安定して保持することができる。
【００３１】
（３）上記実施形態では、基板１７の床面Ｆ上における回動を防止できるため、弾性保持板２５に対する曲げモーメントの作用を阻止できる。このため、弾性保持板２５等の損傷や壁パネル１１の移動を防止できる。
【００３２】
（４）上記実施形態では、壁パネル１１と壁パネル１１を接合する係合溝１４と突条部１５の隙間に弾性材料よりなるクッション材２７を介在したので、壁パネル１１に外部からの衝撃が、特に横方向からの衝撃が作用した場合に、その衝撃力を吸収することができる。
【００３３】
なお、上記実施形態は以下のように変更してもよい。
・図５に示すように、前記基板１７の中央部に脚部２３を溶接部２４によって連結し、前記基板１７の長手方向の両端部に前記貫通孔２０をそれぞれ形成してもよい。このようにすれば、前記実施形態と同様に、壁パネル１１に横方向の力が作用した場合に、壁パネル１１の変位を抑制することができる。
【００３４】
・図６に示すように、脚部２３と弾性保持板２５を一体に形成し、弾性保持板２５の傾斜板部２５ｃの上端部を互いに連結するようにしてもよい。この場合には、溶接部２６を省略することができるので、加工の工数を低減して、固定具１６の製造を容易に行うことができる。
【００３５】
・図７に示すように、基板１７に対し脚部２３及び弾性保持板２５を一体に形成しても良い。この場合には、工数をさらに低減できるとともに、部品点数を少なくできて、製造を一層容易に行うことができる。
【符号の説明】
【００３６】
１１…壁パネル、１３…空洞部、１７…基板、２１…アンカーボルト、２３…脚部、２４，２６…溶接部、２５ａ…底板。
【図１】
2011157709.tif 000003
【図２】
2011157709.tif 000004
【図３】
2011157709.tif 000005
【図４】
2011157709.tif 000006
【図５】
2011157709.tif 000007
【図６】
2011157709.tif 000008
【図７】
2011157709.tif 000009
【図８】
2011157709.tif 000010
【図９】
2011157709.tif 000011
【図１０】
2011157709.tif 000012